(57)【要約】【課題】被写体の明るさが暗い場合でも良好な画質感が得られる撮像装置の提供。【解決手段】分割手段と、２つの撮像素子とこの２つの撮像素子から出力される映像信号をそれぞれ記録するための記録装置とを具備する撮像装置において、前記２つの撮像素子の映像信号を同時にそれぞれの記録装置に記録中に被写体の明るさが予め設定されたレベルよりも小さい場合に撮影者に警告を表示し、この警告に基づき撮影者が一方の映像信号の記録を停止した場合に記録が停止された一方の撮像素子の光路上から前記ハーフミラーを退避させることによりハーフミラーで分割されることによる撮像素子への入射光量の低下を無くして暗い被写体でも良好な画質を得ることが可能となる構成とする。【選択図】図１
2006050038.tif 000002
【特許請求の範囲】
【請求項１】
撮像レンズから入射される被写体光の光路上に配置されたハーフミラーによりその被写体光を分割する分割手段と、このハーフミラーにより分割された２つの被写体光をそれぞれ光電変換して映像信号を得るための２つの撮像素子とこの２つの撮像素子から出力されるそれぞれの映像信号をそれぞれ同時に記録することが可能な２つの記録装置を具備する撮像装置において、
前記２つの撮像素子の映像信号を前記２つの記録装置に同時に記録する選択がされている場合に、被写体の明るさと予め設定されたレベルを比較して被写体の明るさを判定する判定手段と、その判定手段に基づき被写体の明るさが十分でないと判定された場合には撮影者に警告を出す警告出力手段と前記２つの撮像素子のうち予め設定された一方の撮像素子の光路上から前記ハーフミラーを退避させる機能を具備し、撮影者が前記警告出力手段から出力される警告表示に従い一方の前記撮像素子からの映像信号の記録を停止した場合には記録が停止された一方の前記撮像素子の光路上から前記ハーフミラーを退避させることを特徴とする撮像装置。
【請求項２】
前記２つの撮像素子から出力される２つの映像信号の一方はテープメディアに記録され、一方は異なる記録メディアに記録されることを特徴とする請求項１記載の撮像装置。
【請求項３】
前記異なる記録メディアは、静止画像を得ることを目的とする記録メディアであることを特徴とする請求項１記載の撮像装置。
【発明の詳細な説明】
【技術分野】
【０００１】
本発明は、ビデオカメラ等の撮像装置、特に撮像素子で得られた映像信号をデジタル化して信号処理する撮像装置に関するものである。
【背景技術】
【０００２】
図４は一般的な撮像素子を使用した撮像装置の構成を示すブロック図である。
【０００３】
図４において、１は撮像レンズ、２は後述する２つの撮像素子に被写体光を入射するためのハーフミラーで、このハーフミラー２は撮像レンズ１から入射する被写体光に対して４５度の角度になるように設置されており、被写体光の約５０％を透過し、５０％を反射する特性を有している。３は前記ハーフミラー２から透過した被写体光の入射光量を制御するアイリスＡ、４は前記ハーフミラー２から反射した被写体光の入射光量を制御するアイリスＢ、５は光電変換してカードメディアに記録するための映像信号Ａを出力する撮像素子Ａ、６は前記ハーフミラー３から反射した被写体光を光電変換してテープメディアに記録するための映像信号を出力する撮像素子Ｂである。
【０００４】
７は撮像素子Ａ５から出力された映像信号に含まれている蓄積電荷ノイズを低減するためのＳ／Ｈ回路Ａである。８は映像信号のレベルを一定レベルに保つためのオ−トゲインコントロ−ル回路Ａ（以下、ＡＧＣ回路Ａと称する）、９は映像信号をデジタル信号に変換するＡ／Ｄ変換器Ａ、１０はこのＡ／Ｄ変換器Ａ９から出力されるデジタル映像信号をカードメディアに記録可能とする画像信号に変換するために必要な様々な信号処理を施すデジタル信号処理（ＤＳＰ）回路Ａである。１１は前記撮像素子Ｂ６から出力された映像信号に含まれている蓄積電荷ノイズを低減するためのＳ／Ｈ回路Ｂである。
【０００５】
１２は映像信号のレベルを一定レベルに保つためのオートゲインコントロール回路Ｂ（以下、ＡＧＣ回路Ｂと称する）、１３は映像信号をデジタル信号に変換するＡ／Ｄ変換器Ｂ、１４はこのＡ／Ｄ変換器Ｂ１３から出力されたデジタル映像信号をテープメディアに記録可能とするためのビデオ信号に変換するために必要な様々な信号処理を施すデジタル信号処理（ＤＳＰ）回路Ｂ、１５は前記ＤＳＰ回路Ａ１０及びＤＳＰ回路Ｂ１４を含むシステム全体を制御するマイクロコンピュータで構成されたシステムコントロール回路である。このシステムコントロール回路１５では、前記アイリスＡ３及びアイリスＢ４の開度情報と前記ＤＳＰ回路Ａ１０及びＤＳＰ回路Ｂ１４からの映像信号レベルデータに基づきアイリスＡ３及びアイリスＢ４の開度を制御するとともに後述するメディア記録選択スイッチ１８の状態を判断して前記２つの映像信号をそれぞれ同時に記録メディアに記録するか又はどちらか一方の映像信号のみを予め設定された記録メディアに記録するかのシステム制御を行っている。
【０００６】
又、ＤＳＰ回路Ａ１０から出力された画像信号は、静止画像としてカードメディア記録装置１６に送られカードメディアに記録され、ＤＳＰ回路Ｂ１４から出力されるデジタルビデオ信号はテープメディア記録装置１７に送られてテープメディアに記録される。１８は映像信号を記録メディアに記録する際の記録メディアを選択するための切り替えスイッチであり、２つの撮像素子からのそれぞれの映像信号をそれぞれの記録メディアに同時に記録するかどちらかの映像信号のみを予め設定された記録メディアに記録するかを選択する。
【０００７】
１９は撮像画像を確認するためのＬＣＤパネル等の表示回路であり、撮影者に対して様々な警告や撮像状態も表示している。
【０００８】
【特許文献１】特開平１０−１５５１００号公報
【発明の開示】
【発明が解決しようとする課題】
【０００９】
しかしながら、上記のような従来の撮像装置にあっては、それぞれ撮像素子Ａ５及び撮像素子Ｂ６には撮像レンズ１から入射される被写体光はハーフミラー３で２分割された光量しか入射しないため、被写体の明るさが十分に明るい場合には余り問題はないが、アイリスＡ３が開放しても適正な光量が得られない被写体の明るさの場合には暗い画像若しくはＳ／Ｎの悪化した画像しか得られないという問題が生じる。
【００１０】
本発明では被写体の明るさが暗い場合でも良好な画質感が得られる撮像装置を提供することを目的としている。
【課題を解決するための手段】
【００１１】
本発明は上記目的を達成するため、次のように構成したものである。
【００１２】
撮像レンズから入射される被写体光の光路上に配置されたハーフミラーによりその被写体光を分割する分割手段と、このハーフミラーにより分割された２つの被写体光をそれぞれ光電変換して映像信号を得るための２つの撮像素子とこの２つの撮像素子から出力される映像信号をそれぞれ記録するための記録装置とを具備する撮像装置において、前記２つの撮像素子の映像信号を同時にそれぞれの記録装置に記録中に被写体の明るさが予め設定されたレベルよりも小さい場合に撮影者に警告を表示し、この警告に基づき撮影者が一方の映像信号の記録を停止した場合に記録が停止された一方の撮像素子の光路上から前記ハーフミラーを退避させることによりハーフミラーで分割されることによる撮像素子への入射光量の低下を無くして暗い被写体でも良好な画質を得ることが可能となる構成としたを特徴とする。
【発明の効果】
【００１３】
本発明によれば、従来に比べて被写体の明るさが十分でないときでもカード記録メディアにおける良好な静止画像を得ることができる。
【発明を実施するための最良の形態】
【００１４】
以下、本発明の詳細を図面に示す実施の形態に従って説明する。図１は本発明に係る撮像装置の全体のシステム構成を示すブロック図であり、図４と同一符号は同一構成要素を示している。
【００１５】
図１において、１は撮像レンズ、２は後述する２つの撮像素子に被写体光を入射するためのハーフミラーで、このハーフミラー２は撮像レンズ１から入射する被写体光に対して４５度の角度になるように設置されており、被写体光の約５０％を透過し、５０％を反射する特性を有している。２０は後述するシステムコントロール回路１５からの制御信号に従って前記ハーフミラー２を後述する撮像素子Ａ５の光路上から退避させるためのハーフミラー駆動装置、３は前記ハーフミラー２から透過した被写体光の入射光量を制御するアイリスＡ、４は前記ハーフミラー２から反射した被写体光の入射光量を制御するアイリスＢ、５はアイリスＡ５を通過した被写体光を光電変換してカードメディアに記録するための映像信号を出力する撮像素子Ａ、６は前記ハーフミラー３から反射しアイリスＢ６を通過した被写体光を光電変換してテープメディアに記録するための映像信号を出力する撮像素子Ｂである。
【００１６】
７は撮像素子Ａ５から出力された映像信号に含まれている蓄積電荷ノイズを低減するためのＳ／Ｈ回路Ａである。８は映像信号のレベルを一定レベルに保つためのオートゲインコントロール回路Ａ（以下、ＡＧＣ回路Ａと称する）、９は映像信号をデジタル信号に変換するＡ／Ｄ変換器Ａ、１０はこのＡ／Ｄ変換器Ａ９からの出力されたデジタル信号をカードメディアに記録可能とする画像信号に変換するために必要な様々な信号処理を施すデジタル信号処理（ＤＳＰ）回路Ａである。１１は前記撮像素子Ｂから出力された映像信号に含まれている蓄積電荷ノイズを低減するためのＳ／Ｈ回路Ｂである。
【００１７】
１２は映像信号のレベルを一定レベルに保つためのオートゲインコントロール回路Ｂ（以下、ＡＧＣ回路Ｂと称する）、１３は映像信号をデジタル信号に変換するＡ／Ｄ変換器Ｂ、１４はこのＡ／Ｄ変換器Ｂ１３からの出力されたデジタル映像信号をテープメディアに記録可能とするビデオ信号に変換するために必要な様々な信号処理を施すデジタル信号処理（ＤＳＰ）回路Ｂ、１５は前記ＤＳＰ回路１０及びＤＳＰ回路１４を含むシステム全体を制御するマイクロコンピュータで構成されたシステムコントロール回路である。
【００１８】
上記システムコントロール回路１５では、前記アイリスＡ３及びアイリスＢ４の開度情報と前記ＤＳＰ回路Ａ１０及びＤＳＰ回路Ｂ１４からの映像信号レベルデータに基づきアイリスＡ３及びアイリスＢ４の開度を制御するとともに、後述するメディア記録選択スイッチの状態を判断して前記２つの映像信号をそれぞれ同時にそれぞれの記録メディアに記録するか又はどちらか一方の映像信号のみを予め設定された記録メディアに記録するかのシステム制御も行っている。
【００１９】
又、ＤＳＰ回路Ａ１０から出力された画像信号Ａは、静止画像としてカードメディア記録装置１６に送られカードメディアに記録され、ＤＳＰ回路Ｂ１４から出力される映像信号Ｂはデジタルビデオ信号としてテープメディア記録装置１７に送られてテープメディアに記録される。
【００２０】
１８は映像信号を記録メディアに記録する際の記録メディアを選択するための切り替えスイッチであり、撮像素子Ａ３及び撮像素子Ｂ４からのそれぞれの映像信号をそれぞれの記録メディアに同時に記録するかどちらかの映像信号のみを予め設定された記録メディアに記録するかを選択する。１９は撮像画像を確認するためのＬＣＤパネル等の表示回路であり、撮影者に対して様々な警告や撮像状態も表示している。
【００２１】
次に、具体的な動作について説明する。
【００２２】
尚、ここでは前述の従来例と本実施例の相異点に重点をおいて回路動作説明を行う。本実施の形態では、テープ・カード同時記録可能なモードが選択されていることを前提にする。
【００２３】
先ず、撮像レンズ１から入射された被写体光は、従来と同様ハーフミラー２により分離され、アイリスＡ３で光量調整されてカードメディア記録用映像信号を出力する撮像素子Ａ５に入射される。
【００２４】
前記システムコントロール回路１５は、ＤＳＰ回路Ａ１０から出力されるの映像信号を積分した信号レベルと予め設定された基準レベルとを比較して両者のレベルが一致するようにアイリスＡ３の開度を制御して撮像素子Ａ５に入射される光量を最適にしている。
【００２５】
被写体の明るさが十分でなく、前記アイリスＡ３を開放させても適正な明るさにならない場合に、前記システムコントロール回路１５は、撮影者に対して警告を表示装置１９に出力する。この警告により撮影者がテープ記録を停止した場合にはシステムコントロール回路１５から前記ハーフミラー駆動回路２０に前記ハーフミラー２を前記撮像素子Ａ５の光路上から退避させるためのコントロール信号を出力する。
【００２６】
図３はハーフミラー２が撮像素子Ａ５の光路から退避される時のイメージ図である。
【００２７】
ハーフミラー２は、ハーフミラー駆動回路２０により９０°回転されて撮像素子Ａ５の光路から退避させられる。
【００２８】
ハーフミラー２が撮像素子Ａ５の光路から退避されることにより撮像素子Ａ５に入射される被写体光の光量は約２倍に増加することになり、被写体の明るさが十分でない場合でもＳ／Ｎの良い良好な画質を得ることができる。
【図面の簡単な説明】
【００２９】
【図１】本発明に係る撮像装置の全体構成を示すブロック図である。
【図２】本発明に係るハーフミラー駆動回路の動作例を示す図である。
【図３】本発明に係るハーフミラーを撮像素子の光路から退避させるフローチャートである。
【図４】従来の構成を示す図である。
【符号の説明】
【００３０】
１    撮像レンズ
２    ハーフミラー
３    アイリスＡ
４    アイリスＢ
５    撮像素子Ａ
６    撮像素子Ｂ
７    Ｓ／Ｈ回路Ａ
８    ＡＧＣ回路Ａ
９    Ａ／Ｄ変換器Ａ
１０  ＤＳＰ回路Ａ
１１  Ｓ／Ｈ回路Ｂ
１２  ＡＧＣ回路Ｂ
１３  Ａ／Ｄ変換器Ｂ
１４  ＤＳＰ回路Ｂ
１５  システムコントロール回路
１６  カードメディア記録装置
１７  テープメディア記録装置
１８  メディア記録切り替えスイッチ
１９  表示回路
２０  ハーフミラー駆動回路
【図１】
2006050038.tif 000003
【図２】
2006050038.tif 000004
【図３】
2006050038.tif 000005
【図４】
2006050038.tif 000006